【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
作業空間内にイベントを配置する空間的イベントマップを維持し、共同のための複数のディスプレイに通信リソースを提供するデータプロセッサを備えたことを特徴とする空間的イベントマップシステム。
【請求項２】
空間的イベントマップは、イベントのログ、前記イベントに係る図形ターゲットの前記作業空間内の位置及び時刻を有する前記ログのエントリを含むことを特徴とする請求項１に記載のシステム。
【請求項３】
イベント、前記イベントに係る図形ターゲットの前記作業空間内の位置及び時刻を含むメッセージをクライアント側ネットワークノードへ送信するロジックを備えたことを特徴とする請求項２に記載のシステム。
【請求項４】
前記作業空間内の位置と時刻を有する図形ターゲットを生成又は修正するイベントを識別するメッセージを受信し、対応するエントリをイベントの前記ログに追加するロジックを備えたことを特徴とする請求項２に記載のシステム。
【請求項５】
クライアント側ネットワークノードから前記作業空間内の位置と時刻を有する図形ターゲットを生成又は修正するイベントを識別するメッセージを受信するロジックを備え、前記イベントが履歴イベント及び一時的イベントを含むことを特徴とする請求項２に記載のシステム。
【請求項６】
前記一時的イベントを、前記ログに対応するエントリを追加することなく、他のクライアント側ネットワークノードへ送信し、
前記履歴イベントを前記他のクライアント側ネットワークノードへ送信し、前記対応する履歴イベントについてのエントリを前記ログ内に追加するロジックを備えたことを特徴とする請求項５に記載のシステム。
【請求項７】
作業空間に位置を有する図形ターゲットに関するイベントのログ、前記イベントに係る前記図形ターゲットの前記作業空間内の位置を含む前記ログ内のエントリ、前記イベントの時刻、及び、前記イベントに係る前記図形ターゲットのターゲット識別子を保存するメモリを備えたサーバ側ネットワークノードを有し、
前記ネットワークノードが、
複数の稼働中のクライアント側ネットワークノードとの接続を確立し、前記作業空間に位置を有する図形ターゲットの修正及び変更に関するイベントを識別するメッセージを受信し、前記メッセージに応答して前記ログにイベントを追加し、且つ、特定のクライアント側ネットワークノードから受信したメッセージで識別されたイベントに関するメッセージを他の稼働中のクライアント側ネットワークノードに配信するロジックを含むことを特徴とするシステム。
【請求項８】
前記ロジックが、前記ログの一部を運搬するメッセージをクライアント側ネットワークノードへ送信し、且つ、前記作業空間内に位置を有する図形ターゲットに関するイベントを識別するデータを運搬するメッセージをクライアント側ネットワークノードから受信するためのアプリケーションプログラムインタフェースを含むことを特徴とする請求項７に記載のシステム。
【請求項９】
前記アプリケーションプログラムインタフェースが、一クライアント側ネットワークノードから受信したイベントを他のクライアント側ネットワークノードへ配信する処理を含むことを特徴とする請求項７に記載のシステム。
【請求項１０】
前記イベントが前記ログに保存され且つ他のクライアント側ネットワークノードに配信される第１種のイベントと、他のクライアント側ネットワークノードに配信されるが前記ログに保存されない第２種のイベントを含むことを特徴とする請求項７に記載のシステム。
【請求項１１】
物理的表示空間を有するディスプレイ、ユーザ入力デバイス、プロセッサ及び通信ポートを備えたクライアント側ネットワークノードを有し、
前記クライアント側ネットワークノードが、
サーバ側ネットワークノードとの接続を確立し、
前記サーバ側ネットワークノードから、作業空間内に位置を有する図形ターゲットに関するイベントに係る空間的イベントログの少なくとも一部、イベントに係る前記図形ターゲットの前記作業空間内の位置を含む前記ログのエントリ、前記イベントの時刻、及び、前記図形ターゲットのターゲット識別子を検索し、
前記物理的表示空間内の表示可能領域を前記作業空間内の被マップ領域にマップし、前記被マップ領域内にある前記空間的イベントログのエントリを識別し、前記識別されたエントリにより特定される図形ターゲットを前記表示可能領域上に描画し、
前記表示可能領域内に表示される図形ターゲットの修正及び生成に関するイベントを生成する前記ユーザ入力デバイスからの入力データを受け入れ、前記イベントに基づいて前記サーバ側ネットワークノードへメッセージを送信するロジックにより構成されていることを特徴とするシステム。
【請求項１２】
前記ロジックが前記サーバ側ネットワークノードと通信する処理を含むアプリケーションインタフェースを含むことを特徴とする請求項１１に記載のシステム。
【請求項１３】
前記イベントが、履歴イベントに指定され、他のクライアント側ネットワークノードに配信され且つ前記サーバ側ネットワークノード内の前記空間的イベントログに保存される第１種のイベントと、一時的イベントに指定され、他のクライアント側ネットワークノードに配信されるが前記サーバ側ネットワークノード内の前記空間的イベントログに保存されない第２種のイベントを含むことを特徴とする請求項１１に記載のシステム。
【請求項１４】
前記ロジックが、前記作業空間に対して前記表示可能領域をパン及びズームする手順を含むことを特徴とする請求項１１に記載のシステム。
【請求項１５】
前記図形ターゲットがテキスト及びストロークを含むことを特徴とする請求項７または１１に記載のシステム。
【請求項１６】
前記ログ上の前記エントリが、前記図形ターゲットをディスプレイ上に描画するのに用いられる図形構成物を識別するパラメータ（例えば、ｕｒｌ又は実際のファイル）を含むことを特徴とする請求項７または１１に記載のシステム。
【請求項１７】
前記ログ上の前記エントリが、前記イベントに関連付けられたユーザを識別するパラメータを含むことを特徴とする請求項７または１１に記載のシステム。
【請求項１８】
前記作業空間が、実際上無限の仮想空間を覆っていることを特徴とする請求項１、７及び１１の何れか１項に記載のシステム。
【請求項１９】
サーバ側ネットワークノード内で、作業空間に位置を有する図形ターゲットに関するイベントのログ、前記イベントに係る前記図形ターゲットの前記作業空間内の位置を含む前記ログ内のエントリ、前記イベントの時刻、及び前記イベントに係る前記図形ターゲットのターゲット識別子を保存する工程、
複数の稼働中のクライアント側ネットワークノードとの接続を確立する工程、及び、
前記確立された接続上で、前記作業空間内の位置を有する前記図形ターゲットの修正及び生成に関するイベントを識別するメッセージを受信し、前記メッセージに応答して前記ログ内にイベントを追加し、且つ、前記確立された接続上で、特定のクライアント側ネットワークノードから受信したメッセージで識別されたイベントに関するメッセージを他の稼働中のクライアント側ネットワークノードに配信する工程を有することを特徴とする方法。
【請求項２０】
前記ログの一部を運搬するメッセージをクライアント側ネットワークノードへ送信し、且つ、前記作業空間内に位置を有する図形ターゲットに関するイベントを識別するデータを運搬するメッセージをクライアント側ネットワークノードから受信するためのアプリケーションプログラムインタフェースを実行する工程を備えることを特徴とする請求項１９に記載の方法。
【請求項２１】
前記イベントが前記ログに保存され且つ他のクライアント側ネットワークノードに配信される第１種のイベントと、他のクライアント側ネットワークノードに配信されるが前記ログに保存されない第２種のイベントを含むことを特徴とする請求項１９に記載の方法。
【請求項２２】
クライアント側ネットワークノードからサーバ側ネットワークノードへの接続を確立する工程と、
前記クライアント側ネットワークノードにおいて、前記サーバ側ネットワークノードから作業空間内に位置を有する図形ターゲットに関するイベントに係る空間的イベントログの少なくとも一部、イベントに係る前記図形ターゲットの前記作業空間内の位置を含む前記ログのエントリ、前記イベントの時刻、及び、前記図形ターゲットのターゲット識別子を検索する工程、
前記クライアント側ネットワークノードにおいて、物理的表示空間内の表示可能領域を作業空間内の被マップ領域にマップし、前記被マップ領域内にある前記空間的イベントログのエントリを識別し、前記識別されたエントリにより特定される図形ターゲットを前記表示可能領域上に描画する工程、
前記クライアント側ネットワークノードにおいて、前記表示可能領域内に表示される図形ターゲットの修正及び生成に関するイベントを生成するユーザ入力デバイスからの入力データを受け入れる工程、及び、
前記イベントに基づき、前記確立された接続上で前記サーバ側ネットワークノードへメッセージを送信する工程を有することを特徴とする方法。
【請求項２３】
前記サーバ側ネットワークノードで実行されるアプリケーションプログラムインタフェースに準拠したメッセージを送信する工程を含むことを特徴とする請求項２２に記載の方法。
【請求項２４】
前記イベントが、履歴イベントに指定され、他のクライアント側ネットワークノードに配信され且つ前記サーバ側ネットワークノード内の前記空間的イベントログに保存される第１種のイベントと、一時的イベントに指定され、他のクライアント側ネットワークノードに配信されるが前記サーバ側ネットワークノード内の前記空間的イベントログに保存されない第２種のイベントを含むことを特徴とする請求項２２に記載の方法。
【請求項２５】
前記クライアント側ネットワークノードにおいて、前記作業空間に対して前記表示可能領域をパン及びズームする手順を実行する工程を含むことを特徴とする請求項２２に記載の方法。
【請求項２６】
前記図形ターゲットがテキスト及びストロークを含むことを特徴とする請求項１９または２２に記載の方法。
【請求項２７】
前記ログ上の前記エントリが、前記図形ターゲットをディスプレイ上に描画するのに用いられる図形構成物を識別するパラメータを含むことを特徴とする請求項１９または２２に記載の方法。
【請求項２８】
前記ログ上の前記エントリが、前記イベントに関連付けられたユーザを識別するパラメータを含むことを特徴とする請求項１９または２２に記載の方法。
【請求項２９】
前記作業空間が、実際上無限の仮想空間を覆っていることを特徴とする請求項１９または２２に記載の方法。
【請求項３０】
コンピュータ読み出し可能な持続性メモリ、
作業空間内に位置を有する図形ターゲットに関するイベントのログ、前記イベントに係る前記図形ターゲットの前記作業空間内の位置を含む前記ログ内のエントリ、前記イベントの時刻、及び前記イベントに係る前記図形ターゲットのターゲット識別子を含み、前記メモリに保存される機械読み出し可能なデータ構造、
複数の稼働中のクライアント側ネットワークノードとの接続を確立するための実行可能な命令、及び、
前記確立された接続上で、前記作業空間に位置を有する図形ターゲットの修正及び変更に関するイベントを識別するメッセージを受信し、前記メッセージに応答して前記ログ内にイベントを追加し、且つ、前記確立された接続上で、特定のクライアント側ネットワークノードから受信されたメッセージで識別されたイベントに関するメッセージを他の稼働中のクライアント側ネットワークノードに配信する実行可能な命令を有することを特徴とする製品。
【請求項３１】
前記ログの一部を運搬するメッセージをクライアント側ネットワークノードへ送信し、且つ、前記作業空間内に位置を有する図形ターゲットに関するイベントを識別するデータを運搬するメッセージをクライアント側ネットワークノードから受信するためのアプリケーションプログラムインタフェースの実行を含むことを特徴とする請求項３０に記載の製品。
【請求項３２】
前記イベントが前記ログに保存され且つ他のクライアント側ネットワークノードに配信される第１種のイベントと、他のクライアント側ネットワークノードに配信されるが前記ログに保存されない第２種のイベントを含むことを特徴とする請求項３０に記載の製品。
【請求項３３】
コンピュータ読み出し可能な持続性メモリ、
クライアント側ネットワークノードからサーバ側ネットワークノードへの接続を確立するための実行可能な命令、
前記クライアント側ネットワークノードにおいて、前記サーバ側ネットワークノードから、作業空間内に位置を有する図形ターゲットに関するイベントに係る空間的イベントログの少なくとも一部、イベントに係る前記図形ターゲットの前記作業空間内の位置を含む前記ログ内のエントリ、前記イベントの時刻、及び、前記図形ターゲットのターゲット識別子を検索するための実行可能な命令、
前記クライアント側ネットワークノードにおいて、物理的表示空間内の表示可能領域を前記作業空間内の被マップ領域にマップして、前記被マップ領域内にある前記空間的イベントログのエントリを識別し、前記識別されたエントリにより特定される図形ターゲットを前記表示可能領域上に描画する実行可能な命令、
前記クライアント側ネットワークノードにおいて、前記表示可能領域内に表示される図形ターゲットの修正及び生成に関するイベントを生成するユーザ入力デバイスからの入力データを受け入れる実行可能な命令、及び、
前記イベントに基づき、前記確立された接続上で前記サーバ側ネットワークノードへメッセージを送信するための実行可能な命令を有することを特徴とする製品。
【請求項３４】
前記サーバ側ネットワークノードにおいて実行されるアプリケーションプログラムインタフェースに準拠したメッセージを送信するための実行可能な命令を含むことを特徴とする請求項３３に記載の製品。
【請求項３５】
前記イベントが、履歴イベントに指定され、他のクライアント側ネットワークノードに配信され且つ前記サーバ側ネットワークノード内の前記空間的イベントログに追加される第１種のイベントと、一時的イベントに指定され、他のクライアント側ネットワークノードに配信されるが前記サーバ側ネットワークノード内の前記空間的イベントログに追加されない第２種のイベントを含むことを特徴とする請求項３３に記載の製品。
【請求項３６】
前記クライアント側ネットワークノードにおいて、前記作業空間に対して前記表示可能空間をパン及びズームする手順を実行するための実行可能な命令を含むことを特徴とする請求項３３に記載の製品。
【請求項３７】
前記図形ターゲットがテキスト及びストロークを含むことを特徴とする請求項３０または３３に記載の製品。
【請求項３８】
前記ログ上の前記エントリが、前記図形ターゲットをディスプレイ上に描画するのに用いられる図形構成物を識別するパラメータを含むことを特徴とする請求項３０または３３に記載の製品。
【請求項３９】
前記ログ上の前記エントリが、前記イベントに関連付けられたユーザを識別するパラメータを含むことを特徴とする請求項３０または３３に記載の製品。
【請求項４０】
前記作業空間が、実際上無限の仮想空間を覆っていることを特徴とする請求項３０または３３に記載の製品。